(57)【要約】【課題】  衣服において、極めて簡単に製造できて、腹部が圧迫されず、見栄えも損なわれないこと。【解決手段】  衣服としての紳士用ズボン１は、左脇線６の真上に当る位置にウエストベルト２の上側から略Ｖ字形の切れ込み３が設けられ、図示されない右脇線の真上に当る位置にもウエストベルト２の上側から略Ｖ字形の切れ込み３が設けられている。かかる紳士用ズボン１を直立した状態で試着をしてウエストサイズの一番合ったものを購入し、着用して椅子に腰掛けた場合に、紳士用ズボン１においてはウエストベルト２の左右の側面に１箇所ずつ略Ｖ字形の切れ込み３が入っているために、椅子に腰掛けてもウエストベルト２の背中側が殆ど体から離れず、さらに腹部側を引張る力が略Ｖ字形の切れ込み３が開くことによって開放され、腹部が全く圧迫されない。ベルトをしていても同様の効果が得られる。【選択図】        図１
2004300654.tif 000002
【特許請求の範囲】
【請求項１】
ウエストベルトの左右の側面に上側から略Ｖ字形または略Ｖ字形を傾斜させた形状の切れ込みを１箇所ずつまたは２箇所以上ずつ設けたことを特徴とする衣服。
【請求項２】
ウエストベルトの左右の側面の前面よりに左右対称に１箇所ずつ上側から略Ｖ字形または略Ｖ字形を傾斜させた形状の切れ込みを設けたことを特徴とする衣服。
【請求項３】
前記切れ込みの先端に補強縫いを施したことを特徴とする請求項１または請求項２に記載の衣服。
【請求項４】
ウエストベルトを裏返した状態で略Ｖ字形または略Ｖ字形を傾斜させた形状に沿ってミシン掛けまたは手縫いをして、前記略Ｖ字形または略Ｖ字形を傾斜させた形状の間に切り込みを入れて前記ウエストベルトを表に返すことを特徴とする衣服の製造方法。
【請求項５】
ウエストベルトの左右の側面を１箇所ずつまたは２箇所以上ずつ分離させ、該分離部分の左右にそれぞれ１対のベルト通しを設けたことを特徴とする衣服。
【請求項６】
ウエストベルトの左右の側面の前面よりを左右対称に１箇所ずつ分離させ、該分離部分の左右にそれぞれ１対のベルト通しを設けたことを特徴とする衣服。
【請求項７】
前記１対のベルト通しは前記分離部分の左側の上端と前記分離部分の右側の下端及び前記分離部分の右側の上端と前記分離部分の左側の下端に縫付けられてＸ形状に設けられたことを特徴とする請求項５または請求項６に記載の衣服。
【請求項８】
前記１対のベルト通しの代わりに前記分離部分を覆い隠す幅広のベルト通しを前記分離部分の左側または右側のみに上端を縫付けて、下端は前記幅広のベルト通しの全幅を縫付けて取付けたことを特徴とする請求項５または請求項６に記載の衣服。
【請求項９】
前記ウエストベルトの裏側に前記分離部分が合わさるように付勢する弾性材を前記分離部分に跨って取付けたことを特徴とする請求項５乃至請求項８のいずれか１つに記載の衣服。
【請求項１０】
前記１対のベルト通しの代わりに前記分離部分を覆い隠す幅広の弾性材からなるベルト通しを前記分離部分に跨って上端及び下端を縫付けたことを特徴とする請求項５または請求項６に記載の衣服。
【請求項１１】
前記分離部分の下端または下端近傍に補強縫いをしたことを特徴とする請求項５乃至請求項１０のいずれか１つに記載の衣服。
【発明の詳細な説明】
【技術分野】
【０００１】
本発明は、紳士用ズボン（パンツ）、婦人用ズボン（パンツ）、スカート、Ｇパン、綿パン等の衣服及びその製造方法に関するものであり、特に、腹部が圧迫されない構造の衣服及びその製造方法に関するもので、紳士用・婦人用・子供服全般に適用できるものである。
【背景技術】
【０００２】
一般に、従来の紳士用ズボン（スーツのズボン）等の衣服は、着用して直立した状態で最もウエスト周りがぴったり合うようにウエストサイズが選択されるので、直立状態や歩行状態においては何ら不自由を感じないが、椅子に座ったり正座したりしたときには腹部が締め付けられる圧迫感を受ける。これは、紳士用ズボン等の衣服は、座ったときに背中側に空間が生じる構造になっており、この空間の分だけ腹部が締め付けられるためである。
【０００３】
そこで、座ったときに腹部が締め付けられないように、ウエストベルトを数箇所で切断してゴムテープで接続しウエストサイズが伸びるようにした紳士用ズボン等、様々な伸縮の工夫がなされた衣服が開発されている。
【発明の開示】
【発明が解決しようとする課題】
【０００４】
しかしながら、ウエストベルトを数箇所で切断してゴムテープで接続した紳士用ズボン等の衣服においては、ゴムテープで接続するためにまた切断箇所を隠すために構造が複雑となり、製造に時間とコストがかかるという問題点があった。
【０００５】
そこで、本発明は、極めて簡単に製造できて、腹部が圧迫されず、見栄えも損なわれない衣服及びその製造方法の提供を課題とするものである。
【課題を解決するための手段】
【０００６】
請求項１の発明にかかる衣服は、ウエストベルトの左右の側面に上側から略Ｖ字形または略Ｖ字形を傾斜させた形状（以下、「略Ｖ字形等」とも略する。）の切れ込みを１箇所ずつまたは２箇所以上ずつ設けたものである。
【０００７】
請求項２の発明にかかる衣服は、ウエストベルトの左右の側面の前面よりに左右対称に１箇所ずつ上側から略Ｖ字形または略Ｖ字形を傾斜させた形状の切れ込みを設けたものである。
【０００８】
請求項３の発明にかかる衣服は、請求項１または請求項２の構成において、前記切れ込みの先端に補強縫いを施したものである。
【０００９】
請求項４の発明にかかる衣服の製造方法は、ウエストベルトを裏返した状態で略Ｖ字形または略Ｖ字形を傾斜させた形状に沿ってミシン掛けまたは手縫いをして、前記略Ｖ字形または略Ｖ字形を傾斜させた形状の間に切り込みを入れて前記ウエストベルトを表に返すものである。
【００１０】
請求項５の発明にかかる衣服は、ウエストベルトの左右の側面を１箇所ずつまたは２箇所以上ずつ分離させ、該分離部分の左右にそれぞれ１対のベルト通しを設けたものである。
【００１１】
請求項６の発明にかかる衣服は、ウエストベルトの左右の側面の前面よりを左右対称に１箇所ずつ分離させ、該分離部分の左右にそれぞれ１対のベルト通しを設けたものである。
【００１２】
請求項７の発明にかかる衣服は、請求項５または請求項６の構成において、前記１対のベルト通しは前記分離部分の左側の上端と前記分離部分の右側の下端及び前記分離部分の右側の上端と前記分離部分の左側の下端に縫付けられてＸ形状に設けられたものである。
【００１３】
請求項８の発明にかかる衣服は、請求項５または請求項６の構成において、前記１対のベルト通しの代わりに前記分離部分を覆い隠す幅広のベルト通しを前記分離部分の左側または右側のみに上端を縫付けて、下端は前記幅広のベルト通しの全幅を縫付けて取付けたものである。
【００１４】
請求項９の発明にかかる衣服は、請求項５乃至請求項８のいずれか１つの構成において、前記ウエストベルトの裏側に前記分離部分が合わさるように付勢する弾性材を前記分離部分に跨って取付けたものである。
【００１５】
請求項１０の発明にかかる衣服は、請求項５または請求項６の構成において、前記１対のベルト通しの代わりに前記分離部分を覆い隠す幅広の弾性材からなるベルト通しを前記分離部分に跨って上端及び下端を縫付けたものである。
【００１６】
請求項１１の発明にかかる衣服は、請求項５乃至請求項１０のいずれか１つの構成において、前記分離部分の下端または下端近傍に補強縫いをしたものである。
【発明の効果】
【００１７】
請求項１の発明にかかる衣服は、ウエストベルトの左右の側面に上側から略Ｖ字形等の切れ込みを１箇所ずつまたは２箇所以上ずつ設けたものである。
【００１８】
かかる衣服を紳士用ズボンを例として説明すれば、直立した状態で試着をしてウエストサイズの一番合ったものを着用して椅子に腰掛けた場合に、従来の紳士用ズボンではウエストベルトの背中側が体から離れて空間ができ、その分だけ腹部側が引張られてウエストベルトが腹部を圧迫したが、本発明にかかる衣服としての紳士用ズボンにおいてはウエストベルトの左右の側面に１箇所ずつ以上の略Ｖ字形等の切れ込みが入っているために、椅子に腰掛けてもウエストベルトの背中側が殆ど体から離れず、さらに腹部側を引張る力が略Ｖ字形等の切れ込みが開くことによって開放され、腹部が全く圧迫されない。
【００１９】
この効果は、ベルトを締めている場合においても、同様に得られる。また、太り気味で腹部が出た人も楽に着用でき、食べ過ぎ等の場合でも腹部が楽である。
【００２０】
さらに、ウエストベルトが見えていても、略Ｖ字形等の切れ込みは１種のデザインとして紳士用ズボン等の衣服に調和し、見栄えを損ねることもない。そして、この略Ｖ字形等の切れ込みは、極めて簡単に短時間で作ることができる。
【００２１】
このようにして、極めて簡単に製造できて、腹部が圧迫されず、見栄えも損なわれない衣服となる。
【００２２】
請求項２の発明にかかる衣服は、ウエストベルトの左右の側面の前面よりに左右対称に１箇所ずつ上側から略Ｖ字形等の切れ込みを設けたものである。
【００２３】
上述した腹部への圧迫力を開放する効果は、略Ｖ字形等の切れ込みが体の側面よりも前よりにあった方がより顕著に現れる。そして、この効果を出すためには左右に１箇所ずつの略Ｖ字形等の切れ込みがあれば十分であり、左右対称に１箇所ずつの方がずっと見栄えも良く、また短時間で製造できる。
【００２４】
このようにして、極めて簡単に製造できて、より腹部が圧迫されず、より見栄えにも優れた衣服となる。
【００２５】
請求項３の発明にかかる衣服は、請求項１または請求項２の構成において、前記切れ込みの先端に補強縫いを施したものである。
【００２６】
略Ｖ字形等の切れ込みの先端には、略Ｖ字形等の形状のミシン掛けまたは手縫いがされているので、ウエストベルトに両側から引張り力が掛かっても簡単には切れ込みの先端が裂けたりはしないが、予想外の大きな引張り力が掛かった場合の用心のため、また長年着用して切れ込みの先端が弱くなってきた場合の補強のために、切れ込みの先端に補強縫いを施すことによって切れ込みの先端が裂けたりする事態を確実に未然に防ぐことができる。
【００２７】
請求項４の発明にかかる衣服の製造方法は、ウエストベルトを裏返した状態で略Ｖ字形等に沿ってミシン掛けまたは手縫いをして、前記略Ｖ字形等の間に切り込みを入れて前記ウエストベルトを表に返すものである。
【００２８】
これによって、ウエストベルトの生地を切り取らなくても、切り込みがミシン掛けまたは手縫いした形状に自然に開いて、ウエストベルトの左右の側面に上側から略Ｖ字形等の切れ込みを１箇所ずつまたは２箇所以上ずつ設けた衣服を製造することができる。そして、この衣服にはウエストベルトの左右の側面に１箇所ずつ以上の略Ｖ字形等の切れ込みが入っているために、椅子に腰掛けてもウエストベルトの背中側が殆ど体から離れず、さらに腹部側を引張る力が略Ｖ字形等の切れ込みが開くことによって開放され、腹部が全く圧迫されない。
【００２９】
このようにして、腹部が圧迫されず、見栄えにも優れた衣服の、より簡単な製造方法となる。
【００３０】
請求項５の発明にかかる衣服は、ウエストベルトの左右の側面を１箇所ずつまたは２箇所以上ずつ分離させ、分離部分の左右にそれぞれ１対のベルト通しを設けたものである。請求項１〜請求項３の発明にかかる衣服においては、ウエストベルトが見えていても、略Ｖ字形等の切れ込みは１種のデザインとして紳士用ズボン等の衣服に調和し、見栄えを損ねることはないが、人によってはいかにもウエスト周りが楽な衣服に見られることを気にする場合もある。
【００３１】
そこで、略Ｖ字形等の切れ込みを入れる代わりに、ウエストベルトの左右の側面を１箇所ずつまたは２箇所以上ずつ分離させ、分離部分の左右にそれぞれ１対のベルト通しを設けることによって、スリット状の分離部分が目立たないようにしたものである。
【００３２】
かかる衣服を紳士用ズボンを例として説明すれば、直立した状態で試着をしてウエストサイズの一番合ったものを着用して椅子に腰掛けた場合に、従来の紳士用ズボンではウエストベルトの背中側が体から離れて空間ができ、その分だけ腹部側が引張られてウエストベルトが腹部を圧迫したが、本発明にかかる衣服としての紳士用ズボンにおいてはウエストベルトの左右の側面に１箇所ずつ以上の分離部分が設けられているために、この分離部分がＶ字状に開くことによって椅子に腰掛けてもウエストベルトの背中側が殆ど体から離れず、さらに腹部側を引張る力が分離部分がＶ字状に開くことによって開放され、腹部が全く圧迫されない。
【００３３】
この効果は、ベルトを締めている場合においても、同様に得られる。また、太り気味で腹部が出た人も楽に着用でき、食べ過ぎ等の場合でも腹部が楽である。そして、この左右１箇所ずつ以上の分離部分及び各１対のベルト通しを有する衣服は、通常の衣服のウエストベルト部分を切り離して切断部分を処理し、各１対のベルト通しを両側に縫付けるだけで極めて簡単に短時間で作ることができる。
【００３４】
このようにして、通常の衣服から極めて簡単に製造できて、腹部が圧迫されず、より一層見栄えも損なわれず人目も気にならない衣服となる。
【００３５】
請求項６の発明にかかる衣服は、ウエストベルトの左右の側面の前面よりを左右対称に１箇所ずつ分離させ、各分離部分の左右に１対のベルト通しをそれぞれ設けたものである。
【００３６】
上述した腹部への圧迫力を開放する効果は、ウエストベルトの分離部分が体の側面よりも前よりにあった方がより顕著に現れる。そして、この効果を出すためには左右に１箇所ずつの分離部分があれば十分であり、左右対称に１箇所ずつの方がずっと見栄えも良く、また短時間で製造できる。
【００３７】
このようにして、通常の衣服から極めて簡単に製造できて、より腹部が圧迫されず、より一層見栄えも損なわれず人目も気にならない衣服となる。
【００３８】
請求項７の発明にかかる衣服は、各１対のベルト通しが分離部分の左側の上端と分離部分の右側の下端及び分離部分の右側の上端と分離部分の左側の下端に縫付けられてＸ形状に設けられたものである。これによって、１対のベルト通しにより分離部分を閉じようとする力が働くため、椅子に腰掛ける等してＶ字状に開いた分離部分が立ち上がったときに開いたままになっている事態が防止され、分離部分が元通り閉じた状態に復帰する。
【００３９】
このようにして、通常の衣服から極めて簡単に製造できて、腹部が圧迫されず、より一層見栄えも損なわれず人目も気にならない衣服となる。
【００４０】
請求項８の発明にかかる衣服は、各１対のベルト通しの代わりに分離部分を覆い隠す幅広のベルト通しを分離部分の左側または右側のみに上端を縫付けて、下端は幅広のベルト通しの全幅を縫付けて取付けたものである。
【００４１】
これによって、幅広のベルト通しで分離部分が完全に隠れるのでより一層見栄えが良く、しかも幅広のベルト通しの上端は分離部分の左側または右側のみに縫付けられているため、分離部分がＶ字状に開くのを妨げることもない。さらに、椅子に腰掛ける等して分離部分がＶ字状に開いた状態も、幅広のベルト通しで覆い隠されるため、より一層他人の目が気にならない。
【００４２】
このようにして、通常の衣服から極めて簡単に製造できて、腹部が圧迫されず、より一層見栄えも損なわれず、座ったときにも人目を気にしないで済む衣服となる。
【００４３】
請求項９の発明にかかる衣服は、各１対のベルト通しまたは分離部分を覆い隠す幅広のベルト通しを取付け、ウエストベルトの裏側に分離部分が合わさるように付勢する弾性材を分離部分に跨って取付けたものである。ここで弾性材としては、平ゴム、ゴムシート、ゴムベルト、ゴムテープ等を用いることができる。
【００４４】
これによって、請求項５乃至請求項８のいずれか１つに記載の効果に加えて、ウエストベルトの裏側に分離部分が合わさるように付勢する弾性材が分離部分に跨って取付けられているため、椅子に腰掛ける等してＶ字状に開いた分離部分が立ち上がったときに開いたままになっている事態が確実に防止され、分離部分が元通り閉じた状態に確実に復帰する。
【００４５】
このようにして、通常の衣服から極めて簡単に製造できて、腹部が圧迫されず、より一層見栄えも損なわれず、人目も気にならない衣服となる。
【００４６】
請求項１０の発明にかかる衣服は、１対のベルト通しの代わりに分離部分を覆い隠す幅広の弾性材からなるベルト通しを分離部分に跨って上端及び下端を縫付けたものである。これによって、請求項８及び請求項９の発明にかかる衣服と同様の作用効果が得られ、しかも弾性材がベルト通しを兼ねているため、製造がより容易になる。
【００４７】
このようにして、極めて簡単に製造できて、腹部が圧迫されず、より一層見栄えも損なわれず、座ったときにも人目を気にしないで済む衣服となる。
【００４８】
請求項１１の発明にかかる衣服は、分離部分の下端または下端近傍（下端の上または下）に補強縫いをしたものである。下端の上に補強縫いをした場合には、分離部分の下方が縫付けられることになる。ウエストベルトに両側から引張り力が掛かっても簡単には分離部分の下端が裂けたりはしないが、予想外の大きな引張り力が掛かった場合の用心のため、また長年着用して分離部分の下端が弱くなってきた場合の補強のために、分離部分の下端または下端近傍に補強縫いを施すことによって分離部分の下端が裂けたりする事態を確実に未然に防ぐことができる。さらに、下端の上に補強縫いをした場合には、分離部分の分離する長さを適宜短くすることができる。
【００４９】
このようにして、通常の衣服から極めて簡単に製造できてかつ丈夫であり、腹部が圧迫されず、より一層見栄えも損なわれず人目も気にならない衣服となる。
【発明を実施するための最良の形態】
【００５０】
以下、本発明の衣服を紳士用ズボンとして具体化した実施の形態について、図面を参照して説明する。
【００５１】
実施の形態１
まず、本発明にかかる衣服及びその製造方法の実施の形態１について、図１乃至図３を参照して説明する。図１は本発明にかかる衣服としての紳士用ズボンの実施の形態１の全体構成を示す左側面図である。図２は本発明にかかる衣服としての紳士用ズボンの実施の形態１の上部のみを示す部分斜視図である。図３は本発明にかかる衣服としての紳士用ズボンの製造方法の実施の形態１を示す説明図で、（ａ）はウエストベルトを裏返した状態を示す図、（ｂ）はウエストベルトを表に返した状態を示す図である。
【００５２】
図１に示されるように、本実施の形態１にかかる衣服としての紳士用ズボン１は、左脇線６の真上に当る位置にウエストベルト２の上側から略Ｖ字形の切れ込み３が設けられている。左脇線６の近傍には左ポケット５が設けられており、ウエストベルト２に沿って複数のベルト通し４が取り付けられている。そして、図示されない右脇線の真上に当る位置にも、図２に示されるように、ウエストベルト２の上側から略Ｖ字形の切れ込み３が設けられている。
【００５３】
かかる構成の紳士用ズボン１を直立した状態で試着をしてウエストサイズの一番合ったものを購入し、着用して椅子に腰掛けた場合に、従来の略Ｖ字形の切れ込み３が入っていない紳士用ズボンではウエストベルトの背中側が体から離れて空間ができ、その空間の分だけ腹部側が引張られてウエストベルトによって腹部が圧迫された。しかし、本実施の形態１にかかる衣服としての紳士用ズボン１においてはウエストベルト２の左右の側面に１箇所ずつ略Ｖ字形の切れ込み３が入っているために、椅子に腰掛けてもウエストベルト２の背中側が殆ど体から離れず、さらに腹部側を引張る力が略Ｖ字形の切れ込み３が開くことによって開放され、腹部が全く圧迫されない。
【００５４】
この効果は、ウエストベルト２に取り付けられた複数のベルト通し４にベルトを通して締めている場合においても、同様に得られる。また、太り気味で腹部が出た人にも楽に着用でき、食べ過ぎ等の場合でも腹部が楽である。さらに、上着を脱いで紳士用ズボン１のウエストベルト２が見えても、略Ｖ字形の切れ込み３は１種のデザインとして紳士用ズボン１に調和し、見栄えを損ねることもない。
【００５５】
次に、本実施の形態１における紳士用ズボン１の略Ｖ字形の切れ込み３の形成方法について、図３を参照して説明する。
【００５６】
紳士用ズボン１の縫製過程において、図３（ａ）に示されるように、ウエストベルト２を裏返した状態でウエストベルトの裏側２ａに略Ｖ字形に沿ってミシン掛け３ａをして（手縫いでも良い）、略Ｖ字形の間に鋏で切り込み３ｂを入れてから、図３（ｂ）に示されるようにウエストベルト２を表に返す。すると、切り込み３ｂがミシン掛け３ａをした部分まで自然に開いて、略Ｖ字形の切れ込み３が形成されるので、極めて簡単に短時間で作ることができる。
【００５７】
このようにして、本実施の形態１にかかる紳士用ズボン１は、極めて簡単に製造できて、腰掛けたりしても腹部が圧迫されず、見栄えも損なわれることがない。
【００５８】
実施の形態２
次に、本発明にかかる衣服の実施の形態２について、図４を参照して説明する。図４は本発明にかかる衣服としての紳士用ズボンの実施の形態２の上部のみを示す部分斜視図である。
【００５９】
図４に示されるように、本実施の形態２の紳士用ズボン１１は、実施の形態１の紳士用ズボン１において略Ｖ字形の切れ込み３が左右の脇線の真上に設けられていたのと異なり、左右のポケット入口の延長線上に略Ｖ字形の切れ込み３がウエストベルト２に形成されている。即ち、本実施の形態２の紳士用ズボン１１は、「ウエストベルト２の左右の側面の前面よりに左右対称に１箇所ずつ上側から略Ｖ字形の切れ込み３を設けたことを特徴とする衣服」に相当する。
【００６０】
上述した腹部への圧迫力を開放する効果は、略Ｖ字形の切れ込み３が体の側面よりも前よりにあった方がより顕著に現れる。そして、この効果を出すためには左右に１箇所ずつの略Ｖ字形の切れ込み３があれば十分であり、左右対称に１箇所ずつの方が左右に複数箇所ずつ切れ込み３があるよりもずっと見栄えも良く、また短時間で製造できる。
【００６１】
このようにして、本実施の形態２の衣服としての紳士用ズボン１１は、極めて簡単に製造できて、より腹部が圧迫されず、より見栄えも優れたものとなる。この紳士用ズボン１１を、極秘のうちに社内モニターとして６名の社員に約４ヶ月間着用してもらっているが、腹部が楽であると好評であり、また今のところ切れ込み３の部分が破れたりすることもなく、予想通りの作用効果が得られている。
【００６２】
実施の形態３
次に、本発明にかかる衣服の実施の形態３について、図５を参照して説明する。図５は本発明にかかる衣服としての紳士用ズボンの実施の形態３の略Ｖ字形の切れ込み３の形成方法を示す説明図であり、（ａ）はウエストベルトを裏返した状態を示す図、（ｂ）はウエストベルトを表に返した状態を示す図である。
【００６３】
図５（ａ）に示されるように、本実施の形態３においても、ウエストベルト２を裏返した状態でウエストベルトの裏側２ａに略Ｖ字形に沿ってミシン掛け３ｃをして（手縫いでも良い）、略Ｖ字形の間に鋏で切り込み３ｂを入れてから、図５（ｂ）に示されるようにウエストベルト２を表に返す。すると、切り込み３ｂがミシン掛け３ａをした部分まで自然に開いて、略Ｖ字形の切れ込み３が形成される。ここで、カンヌキミシンを掛けて略Ｖ字形の切れ込み３の先端にウエストベルト２の表から裏まで貫通させて補強縫い７を施す。なお、補強縫い７に使用する糸は見栄えを損なわないため、ウエストベルト２の表側と同じ色の糸を用いることが好ましい。
【００６４】
略Ｖ字形の切れ込み３の先端には、略Ｖ字形の形状のミシン掛け３ｃ（または手縫い）がされているので、ウエストベルト２に両側から引張り力が掛かっても簡単には切れ込み３の先端が裂けたりはしないが、予想外の大きな引張り力が掛かった場合の用心のため、また長年着用して切れ込み３の先端が弱くなってきた場合の補強のために、切れ込み３の先端に補強縫い７を施すことによって切れ込み３の先端が裂けたりする事態を確実に未然に防ぐことができる。
【００６５】
このようにして、本実施の形態３にかかる衣服としての紳士用ズボンは、簡単に製造できて、腹部が圧迫されず、見栄えも優れ、より丈夫なものとなる。
【００６６】
実施の形態４
次に、本発明にかかる衣服の実施の形態４について、図６を参照して説明する。図６は本発明にかかる衣服としての紳士用ズボンの実施の形態４の略Ｖ字形を傾斜させた形状の切れ込み８の形成方法を示す説明図であり、（ａ）はウエストベルトを裏返した状態を示す図、（ｂ）はウエストベルトを表に返した状態を示す図である。
【００６７】
図６（ａ）に示されるように、本実施の形態４においては、ウエストベルト２を裏返した状態でウエストベルトの裏側２ａに略Ｖ字形を傾斜させた形状に沿ってミシン掛け８ａをして（手縫いでも良い）、略Ｖ字形を傾斜させた形状の間に鋏で切り込み８ｂを入れてから、図６（ｂ）に示されるようにウエストベルト２を表に返す。すると、切り込み８ｂがミシン掛け８ａをした部分まで自然に開いて、略Ｖ字形を傾斜させた形状の切れ込み８が形成される。
【００６８】
このようにして、本実施の形態４にかかる衣服としての紳士用ズボンは、簡単に製造できて、腹部が圧迫されず、見栄えも優れたものとなる。
【００６９】
実施の形態５
次に、本発明にかかる衣服の実施の形態５について、図７及び図８を参照して説明する。図７は本発明にかかる衣服としての紳士用ズボンの実施の形態５の上部のみを示す部分斜視図である。図８（ａ）は本発明にかかる衣服としての紳士用ズボンの実施の形態５の分離部分を示す部分拡大図、（ｂ）は分離部分の裏側を示す部分拡大図、（ｃ）は分離部分が開く様子を示す部分拡大図である。
【００７０】
図７に示されるように、本実施の形態５にかかる衣服としての紳士用ズボン２１は、実施の形態１〜実施の形態４における略Ｖ字形等の切れ込みの代わりに、ウエストベルト２２の左右の脇線２６に当る部分を切り離して切断部分を端部処理することによって分離部分２３とし、その左右にぴったり接触させて１対のベルト通し２４を取付けたものである。その他にも、ウエストベルト２２の全周に亘って、１対のベルト通し２４と同じ素材からなる通常のベルト通し２５が取付けられている。また、ウエストベルト２２の裏側には２段からなるマーベルト２７が設けられており、分離部分２３の下端近傍に当るこのマーベルト２７の継ぎ目部分において、補強縫い２８が施されている。
【００７１】
この補強縫い２８について、図８を参照して説明する。図８（ａ）に示されるように、ウエストベルト２２の分離部分２３の左右には１対のベルト通し２４が取付けられていて、外から見た場合に分離部分２３が目立たないようにしている。これを裏側から見たのが図８（ｂ）であり、マーベルト２７の継ぎ目部分において補強縫い２８が施されており、ウエストベルト２２に引張り力が掛かった場合に、図８（ｃ）に示されるように分離部分２３の全長がＶ字形状に開かずに、補強縫い２８によって分離部分２３の開く長さが制限されている。しかし、これによって分離部分２３の下端に強い引張り力が繰返し掛かるのが防止されて、衣服としての紳士用ズボン２１を長持ちさせることができる。
【００７２】
このように、本実施の形態５にかかる衣服としての紳士用ズボン２１は、直立した状態で試着をしてウエストサイズの一番合ったものを着用して椅子に腰掛けた場合に、従来の紳士用ズボンではウエストベルトの背中側が体から離れて空間ができ、その分だけ腹部側が引張られてウエストベルトが腹部を圧迫したが、紳士用ズボン２１においてはウエストベルト２２の左右の側面に１箇所ずつの分離部分２３が設けられているために、この分離部分２３がＶ字状に開くことによって椅子に腰掛けてもウエストベルト２２の背中側が殆ど体から離れず、さらに腹部側を引張る力が分離部分２３がＶ字状に開くことによって開放され、腹部が全く圧迫されない。
【００７３】
この効果は、ベルトを締めている場合においても、同様に得られる。また、太り気味で腹部が出た人も楽に着用でき、食べ過ぎ等の場合でも腹部が楽である。そして、この左右１箇所ずつの分離部分２３及び各１対のベルト通し２４を有する紳士用ズボン２１は、通常の紳士用ズボンから極めて簡単に短時間で作ることができる。
【００７４】
このようにして、本実施の形態５にかかる衣服としての紳士用ズボン２１は、通常の紳士用ズボンから極めて簡単に製造できて、腹部が圧迫されず、より一層見栄えも損なわれず人目も気にならない。
【００７５】
実施の形態６
次に、本発明にかかる衣服の実施の形態６について、図９を参照して説明する。図９は本発明にかかる衣服としての紳士用ズボンの実施の形態６の上部のみを示す部分斜視図である。本実施の形態６にかかる紳士用ズボンの構成は、大部分が図７に示される実施の形態５の紳士用ズボン２１と同様であるため、同一の部分には同一の符号を付して説明を一部省略する。
【００７６】
図９に示されるように、本実施の形態６にかかる衣服としての紳士用ズボン３１は、実施の形態５の紳士用ズボン２１と同様に、ウエストベルト２２の左右の脇線２６に当る部分を切り離して切断部分を端部処理することによって左右の分離部分２３としている。そして、各分離部分２３に近接して各１対のベルト通し３２を取付けているが、実施の形態５の各１対のベルト通し２４のように平行にではなく、Ｘ字状に取付けられている。即ち、一方のベルト通し３２の上端を分離部分２３の右側に縫付け、下端を分離部分２３の左側に縫付けて、もう一方のベルト通し３２の上端を分離部分２３の左側に縫付け、下端を分離部分２３の右側に縫付けている。
【００７７】
これによって、１対のベルト通し３２により分離部分２３を閉じようとする力が働くため、椅子に腰掛ける等してＶ字状に開いた分離部分２３が立ち上がったときに開いたままになっているという事態が防止され、分離部分２３が元通り閉じた状態に復帰する。
【００７８】
このようにして、本実施の形態６にかかる紳士用ズボン３１は、通常の紳士用ズボンから極めて簡単に製造できて、腹部が圧迫されず、より一層見栄えも損なわれず人目も気にならない。
【００７９】
実施の形態７
次に、本発明にかかる衣服の実施の形態７について、図１０及び図１１を参照して説明する。図１０は本発明にかかる衣服としての紳士用ズボンの実施の形態７の上部のみを示す部分斜視図である。図１１は本発明にかかる衣服としての紳士用ズボンの実施の形態７の変形例の上部のみを示す部分斜視図である。本実施の形態７及びその変形例にかかる紳士用ズボンの構成は、大部分が図７に示される実施の形態５の紳士用ズボン２１及び図９に示される実施の形態６の紳士用ズボン３１と同様であるため、同一の部分には同一の符号を付して説明を一部省略する。
【００８０】
図１０に示されるように、本実施の形態７にかかる衣服としての紳士用ズボン３３は、実施の形態５の紳士用ズボン２１と同様に、ウエストベルト２２の左右に分離部分３４を設けているが、脇線２６に当る部分ではなく、それよりもっと前中心よりを切り離して切断部分を端部処理することによって左右対称の分離部分３４としている。そして、その左右にぴったり接触させて１対のベルト通し２４を平行に取付けている。その他にも、ウエストベルト２２の全周に亘って、１対のベルト通し２４と同じ素材からなる通常のベルト通し２５が取付けられている。
【００８１】
また、図１１に示されるように、本実施の形態７の変形例にかかる衣服としての紳士用ズボン３６も、ウエストベルト２２の左右に分離部分３４を設けているが、やはり脇線２６に当る部分ではなく、それよりもっと前中心よりを切り離して切断部分を端部処理することによって左右対称の分離部分３４としている。そして、各分離部分３４に近接して各１対のベルト通し３２を取付けているが、平行にではなくＸ字状に取付けている。即ち、一方のベルト通し３２の上端を分離部分３４の右側に縫付け、下端を分離部分３４の左側に縫付けて、もう一方のベルト通し３２の上端を分離部分３４の左側に縫付け、下端を分離部分３４の右側に縫付けている。
【００８２】
これによって、１対のベルト通し３２により分離部分３４を閉じようとする力が働くため、椅子に腰掛ける等してＶ字状に開いた分離部分３４が立ち上がったときに開いたままになっているという事態が防止され、分離部分３４が元通り閉じた状態に復帰する。
【００８３】
そして、上述した腹部への圧迫力を開放する効果は、ウエストベルト２２の分離部分３４が体の側面（脇線２６）よりも前よりにあった方がより顕著に現れる。そして、この効果を出すためには左右に１箇所ずつの分離部分３４があれば十分であり、左右対称に１箇所ずつの方がずっと見栄えも良く、また短時間で製造できる。
【００８４】
このようにして、本実施の形態７にかかる紳士用ズボン３３及びその変形例にかかる紳士用ズボン３６は、通常の紳士用ズボンから極めて簡単に製造できて、より腹部が圧迫されず、より一層見栄えも損なわれず人目も気にならない衣服となる。
【００８５】
実施の形態８
次に、本発明にかかる衣服の実施の形態８について、図１２を参照して説明する。図１２は本発明にかかる衣服としての紳士用ズボンの実施の形態８の要部のみを示す部分拡大図である。本実施の形態８にかかる紳士用ズボンの全体構成は、大部分が図７に示される実施の形態５の紳士用ズボン２１と同様であるため、図７を参照して全体構成の図は省略する。
【００８６】
図１２に示されるように、本実施の形態８にかかる衣服としての紳士用ズボン４０は、実施の形態５の紳士用ズボン２１と同様に、ウエストベルト２２の左右の脇線２６に当る部分を切り離して切断部分を端部処理することによって左右の分離部分３７としている。そして、通常のベルト通し２５の約２倍の幅を有する幅広のベルト通し３８を、上端は分離部分３７の右側だけに縫付け、下端はベルト通し３８の全幅に亘って縫い付けることによって、分離部分３７を中心にして取付ける。さらに、破線で示されるように、ウエストベルト２２の裏側に分離部分３７が合わさるように付勢する弾性材としてのゴムベルト３９が分離部分３７に跨って縫付けられている。
【００８７】
これによって、幅広のベルト通し３８で分離部分３７が完全に隠れるのでより一層見栄えが良く、しかも幅広のベルト通し３８の上端は分離部分３７の右側のみに縫付けられているため、分離部分３７がＶ字状に開くのを妨げることもない。さらに、椅子に腰掛ける等して分離部分３７がＶ字状に開いた状態も、幅広のベルト通し３８で覆い隠されるため、より一層他人の目が気にならない。そして、ウエストベルト２２の裏側に分離部分３７が合わさるように付勢するゴムベルト３９が分離部分３７に跨って取付けられているため、椅子に腰掛ける等してＶ字状に開いた分離部分３７が立ち上がったときに開いたままになっている事態が防止され、分離部分３７が元通り閉じた状態に確実に復帰する。
【００８８】
このようにして、本実施の形態８にかかる紳士用ズボン４０は、通常の紳士用ズボンから極めて簡単に製造できて、腹部が圧迫されず、より一層見栄えも損なわれず、座ったときにも人目を気にしないで済む。
【００８９】
実施の形態９
次に、本発明にかかる衣服の実施の形態９について、図１３を参照して説明する。図１３は本発明にかかる衣服としての紳士用ズボンの実施の形態９の要部のみを示す部分拡大図である。本実施の形態９にかかる紳士用ズボンの全体構成も、大部分が図７に示される実施の形態５の紳士用ズボン２１と同様であるため、図７を参照して全体構成の図は省略する。
【００９０】
図１３に示されるように、本実施の形態９にかかる衣服としての紳士用ズボン４１は、実施の形態５の紳士用ズボン２１と同様に、ウエストベルト２２の左右の脇線２６に当る部分を切り離して切断部分を端部処理することによって左右の分離部分４２としている。そして、通常のベルト通し２５の約２倍の幅を有する幅広の弾性材としてのゴムテープからなるベルト通し４３を、分離部分４２に跨って上端下端ともベルト通し４３の全幅に亘って縫い付けることによって、分離部分４２を中心にして取付ける。
【００９１】
これによって、幅広のゴムテープからなるベルト通し４３で分離部分４２が完全に隠れるのでより一層見栄えが良く、しかも幅広のベルト通し４３は伸縮自在な弾性体としてのゴムテープからなるため、分離部分４２がＶ字状に開くのを妨げることもない。さらに、椅子に腰掛ける等して分離部分４２がＶ字状に開いた状態も、幅広のベルト通し４３で覆い隠されるため、より一層他人の目が気にならない。そして、幅広のベルト通し４３は伸縮自在な弾性体としてのゴムテープからなるため、椅子に腰掛ける等してＶ字状に開いた分離部分４２が立ち上がったときに開いたままになっている事態が防止され、分離部分４２が元通り閉じた状態に確実に復帰する。しかも、実施の形態８の紳士用ズボン４０よりも部品数が少ないため、より短時間で製造することができる。
【００９２】
このようにして、本実施の形態９にかかる紳士用ズボン４１は、通常の紳士用ズボンから極めて簡単に製造できて、腹部が圧迫されず、より一層見栄えも損なわれず、座ったときにも人目を気にしないで済む。
【００９３】
上記各実施の形態においては、紳士用ズボン（パンツ）に適用した場合について説明したが、本発明の衣服はボトム全般について適用できるものであり、婦人用ズボン（パンツ）、スカート、Ｇパン、綿パン、学生服のズボン・スカート、作業ズボン、さらには子供用ズボン等にも適用することができ、紳士用・婦人用・子供服全般に適用できる。
【００９４】
また、上記実施の形態８においては、ウエストベルト２２の裏側に分離部分３７が合わさるように付勢する弾性材としてのゴムベルト３９を縫付けた場合について説明したが、弾性材は必ずしもなくても良い。逆に、上記実施の形態５，６，７においては弾性材を取付けない例について説明したが、ウエストベルト２２の裏側に分離部分が合わさるように付勢する弾性材を縫付けることもできる。この場合、上記実施の形態５，６，７においては分離部分が開いたときに弾性材が少し見えるので、ウエストベルトと同色の弾性材を用いることが好ましい。
【００９５】
衣服のその他の部分の構成、形状、数量、材質、大きさ、接続関係等についても、上記各実施の形態に限定されるものではない。
【図面の簡単な説明】
【００９６】
【図１】図１は本発明にかかる衣服としての紳士用ズボンの実施の形態１の全体構成を示す左側面図である。
【図２】図２は本発明にかかる衣服としての紳士用ズボンの実施の形態１の上部のみを示す部分斜視図である。
【図３】図３は本発明にかかる衣服としての紳士用ズボンの製造方法の実施の形態１を示す説明図で、（ａ）はウエストベルトを裏返した状態を示す図、（ｂ）はウエストベルトを表に返した状態を示す図である。
【図４】図４は本発明にかかる衣服としての紳士用ズボンの実施の形態２の上部のみを示す部分斜視図である。
【図５】図５は本発明にかかる衣服としての紳士用ズボンの実施の形態３の略Ｖ字形の切れ込み３の形成方法を示す説明図であり、（ａ）はウエストベルトを裏返した状態を示す図、（ｂ）はウエストベルトを表に返した状態を示す図である。
【図６】図６は本発明にかかる衣服としての紳士用ズボンの実施の形態４の略Ｖ字形を傾斜させた形状の切れ込み８の形成方法を示す説明図であり、（ａ）はウエストベルトを裏返した状態を示す図、（ｂ）はウエストベルトを表に返した状態を示す図である。
【図７】図７は本発明にかかる衣服としての紳士用ズボンの実施の形態５の上部のみを示す部分斜視図である。
【図８】図８（ａ）は本発明にかかる衣服としての紳士用ズボンの実施の形態５の分離部分を示す部分拡大図、（ｂ）は分離部分の裏側を示す部分拡大図、（ｃ）は分離部分が開く様子を示す部分拡大図である。
【図９】図９は本発明にかかる衣服としての紳士用ズボンの実施の形態６の上部のみを示す部分斜視図である。
【図１０】図１０は本発明にかかる衣服としての紳士用ズボンの実施の形態７の上部のみを示す部分斜視図である。
【図１１】図１１は本発明にかかる衣服としての紳士用ズボンの実施の形態７の変形例の上部のみを示す部分斜視図である。
【図１２】図１２は本発明にかかる衣服としての紳士用ズボンの実施の形態８の要部のみを示す部分拡大図である。
【図１３】図１３は本発明にかかる衣服としての紳士用ズボンの実施の形態９の要部のみを示す部分拡大図である。
【符号の説明】
【００９７】
１，１１，２１，３１，３３，３６，４０，４１  衣服
２，２２  ウエストベルト
２ａ  ウエストベルトの裏側
３，８  切れ込み
３ａ，８ａ  ミシン掛け
３ｂ，８ｂ  切り込み
７，２８  補強縫い
２３，３４，３７，４２  分離部分
２４，３２  １対のベルト通し
３８  幅広のベルト通し
３９  弾性材
４３  幅広の弾性材からなるベルト通し
【図１】
2004300654.tif 000003
【図２】
2004300654.tif 000004
【図３】
2004300654.tif 000005
【図４】
2004300654.tif 000006
【図５】
2004300654.tif 000007
【図６】
2004300654.tif 000008
【図７】
2004300654.tif 000009
【図８】
2004300654.tif 000010
【図９】
2004300654.tif 000011
【図１０】
2004300654.tif 000012
【図１１】
2004300654.tif 000013
【図１２】
2004300654.tif 000014
【図１３】
2004300654.tif 000015